(57)【要約】【課題】ステータコア内外周面へのワニスの垂れ付着を防止し、コイルに対するワニスの含浸ムラを防止すること。【解決手段】コイル３を装着したステータコア２を前加熱した後、第１シールで、ステータコア２から突出する上側コイルエンド３ａの内外周側面に、ステータコア２の上端面２ａとの間をシールする各シール部材１４，１６を配設し、各シール部材１４，１６と上側コイルエンド３ａとの間に隙間Ｇ１，Ｇ２を持たせて上側コイルエンド３ａの側面を覆う。次に、第１供給工程で、上側コイルエンド３ａを上に向けて、コイル３のコイルエンド３ａ，３ｂが上下になる姿勢でステータコア２を水平に保持し、上側コイルエンド３ａの上面からワニスを注入し、上側コイルエンド３ａの上から下へワニスを含浸流下させる。その後、反転工程で、ステータコア２を反転させた後、上記に準ずる第２シールと、第２供給工程を実施する。【選択図】図５
2008109733.tif 000002
【特許請求の範囲】
【請求項１】
ステータコアに装着されたコイルにワニスを含浸させるワニス処理方法において、
ステータコア端面から突出するコイルエンドの内外周側面のうち少なくとも外周側面に、前記ステータコア端面と前記コイルエンドとの間をシールするシール部材を配設し、前記シール部材と前記コイルエンドとの間に隙間を持たせて前記コイルエンドの側面を覆うシール工程と、
前記シール部材が配設された前記コイルエンドを上に向けて前記ステータコアに装着されたコイルのコイルエンドが上下になる姿勢で前記ステータコアを保持し、前記コイルエンドの上面からワニスを注入し、前記コイルエンドの上から下へ前記ワニスを含浸流下させるように前記ワニスを供給する供給工程と
を含むことを特徴とするワニス処理方法。
【請求項２】
前記コイルエンドの内周側面には前記シール部材を配設せず、前記ワニスの供給量に見合った速度で前記ステータコアを回転させながら前記ワニスを供給し、遠心力にて前記コイルエンドの内周側面から前記ステータコア内周面へのワニスの垂れ付着を抑制することを特徴とする請求項１に記載のワニス処理方法。
【請求項３】
前記コイルエンドの外周側面には筒状のシール部材が配設され、そのシール部材は、自身の弾性力により前記コイルエンドの根本に嵌着されることを特徴とする請求項１又は２に記載のワニス処理方法。
【請求項４】
前記シール部材は、リング部材により外部から締め付けられることを特徴とする請求項３に記載のワニス処理方法。
【請求項５】
前記シール部材と前記コイルエンドとの間に持たせた隙間は、前記コイルエンドの根本へ向けて徐々に小さくなることを特徴とする請求項１乃至４の何れかに記載のワニス処理方法。
【請求項６】
ステータコアに装着されたコイルにワニスを含浸させるワニス処理装置であって、
ステータコア端面から突出するコイルエンドの内外周側面のうち少なくとも外周側面に配設され、前記ステータコア端面と前記コイルエンドとの間をシールすると共に、前記コイルエンドとの間に隙間を持たせて前記コイルエンドの側面を覆うシール部材と、
前記シール部材が配設された前記コイルエンドを上に向けて前記ステータコアに装着されたコイルのコイルエンドが上下になる姿勢で前記ステータコアを保持し、前記コイルエンドの上面にワニスを供給するワニス供給手段と
を備えたことを特徴とするワニス処理装置。
【請求項７】
前記シール部材と前記コイルエンドとの間に持たせた隙間は、前記コイルエンドの根本へ向けて徐々に小さくなることを特徴とする請求項６に記載のワニス処理装置。
【発明の詳細な説明】
【技術分野】
【０００１】
この発明は、ステータコアに装着されたコイルにワニスを含浸させるワニス処理方法及びワニス処理装置に関する。
【背景技術】
【０００２】
従来より、ステータコアに装着されたコイル間全域に、コイルの固定とコイルの放熱を目的に、絶縁用のワニスを含浸させてから、硬化させるワニス処理が行われている。この種の技術として、例えば、下記の特許文献１に記載された滴下含浸処理方法が挙げられる。この処理方法では、コイルの一側にワニスを滴下含浸させた後、そのコイルを反転させて他側にワニスを滴下含浸させることにより、ステータコアへのワニス流出を防ぎながら生産性を向上させている。
【０００３】
【特許文献１】特開昭６２−１３８０３８号公報
【発明の開示】
【発明が解決しようとする課題】
【０００４】
ところが、特許文献１に記載の処理方法では、ステータコアの軸が横に寝てコイルの両コイルエンド部が水平方向に延在する姿勢でコイルにワニスを少量で滴下含浸させている。この方法では、先ず、両コイルエンド部への滴下において、大量に滴下するとコイルエンド部からワニスが垂れ落ちてしまうため、滴下量を、例えば１（ｇ／秒）以下の少量にする必要があった。また、コイルにワニスを含浸させるのに毛細管現象のみに頼らざるを得ず、ワニスの含浸時間を短縮させることが困難であった。この点に鑑み、本願出願人は、本願と同時に出願した発明において、コイルエンドが上下に位置するようにステータコアを水平に保持した状態でコイルエンドの上面からワニスを含浸流下させる方法を提案した。この提案方法では、コイルエンドの上面からワニスを含浸流下させることから、ステータコア表面へワニスが垂れ落ちてステータコア内周、外周面までワニスが付着する懸念があった。従って、ステータコア内周、外周面へのワニス付着防止やコイルに対するワニス含浸について更に改善の余地がある。
【０００５】
この発明は上記事情に鑑みてなされたものであって、その目的は、ステータコア表面へのワニスの垂れ落ちを低減し、ステータコアの内外周面までへの付着を防止し、コイルにおけるワニスの含浸ムラをなくし、歩留まりをあげることのできるワニス処理方法及びそのために使用されるワニス処理装置を提供することにある。
【課題を解決するための手段】
【０００６】
上記目的を達成するために、請求項１に記載の発明は、ステータコアに装着されたコイルにワニスを含浸させるワニス処理方法において、ステータコア端面から突出するコイルエンドの内外周側面のうち少なくとも外周側面に、ステータコア端面とコイルエンドとの間をシールするシール部材を配設し、シール部材とコイルエンドとの間に隙間を持たせてコイルエンドの側面を覆うシール工程と、シール部材が配設されたコイルエンドを上に向けてステータコアに装着されたコイルのコイルエンドが上下になる姿勢でステータコアを保持し、コイルエンドの上面からワニスを注入し、コイルエンドの上から下へワニスを含浸流下させるようにワニスを供給する供給工程とを含むことを趣旨とする。
【０００７】
上記発明の構成によれば、シール工程で、コイルエンドの内外周側面のうち少なくとも外周側面に、ステータコア端面とコイルエンドとの間をシールするシール部材が配設され、そのシール部材とコイルエンドとの間に隙間を持たせた状態でコイルエンドの側面がシール部材により覆われる。その後、供給工程では、シール部材が配設されたコイルエンドを上に向けてステータコアに装着されたコイルのコイルエンドが上下になる姿勢でステータコアが保持された状態で、コイルエンドの上面からワニスを注入し、コイルエンドの上から下へワニスを含浸流下させるようにワニスが供給される。従って、ステータコア端面とコイルエンドとの間がシール部材によりシールされるので、コイルエンドに供給されるワニスがステータコア外周面に垂れ落ちることがない。また、供給されるワニスがコイルエンドの側面とシール部材との間の隙間に入り込むので、その側面からもコイルエンドにワニスが含浸することとなる。
【０００８】
上記目的を達成するために、請求項２に記載の発明は、請求項１に記載の発明において、コイルエンドの内周側面にはシール部材を配設せず、ワニスの供給量に見合った速度でステータコアを回転させながらワニスを供給し、遠心力にてコイルエンドの内周側面からステータコア内周面へのワニスの垂れ付着を抑制することを趣旨とする。
【０００９】
上記発明の構成によれば、請求項１に記載の発明の作用に加え、コイルエンドの内周側面にはシール部材を配設しないので、シールに要する時間が不要となる。更に、コイルエンドの内周側面に流れたワニスは、その内周側面から遠心力の作用によりステータコアの内周面に垂れ落ちることなくコイルエンドを通って含浸することになり、満遍なくワニスが供給される。
【００１０】
上記目的を達成するために、請求項３に記載の発明は、請求項１又は２に記載の発明において、コイルエンドの外周側面には筒状のシール部材が配設され、そのシール部材は、自身の弾性力によりコイルエンドの根本に嵌着されることを趣旨とする。
【００１１】
上記発明の構成によれば、請求項１又は２に記載の発明の作用に加え、シール部材が自身の弾性力によりコイルエンドの根本に嵌着されるので、シール部材の着脱が容易となる。
【００１２】
上記目的を達成するために、請求項４に記載の発明は、請求項３に記載の発明において、シール部材は、リング部材により外部から締め付けられることを趣旨とする。
【００１３】
上記発明の構成によれば、請求項３に記載の発明の作用に加え、シール部材がリング部材で締め付けられることから、コイルエンドの外周側面にシール部材が強固に装着される。
【００１４】
上記目的を達成するために、請求項５に記載の発明は、請求項１乃至４の何れかに記載の発明において、シール部材とコイルエンドとの間に持たせた隙間は、コイルエンドの根本へ向けて徐々に小さくなることを趣旨とする。
【００１５】
上記発明の構成によれば、請求項１乃至４の何れかに記載の発明の作用に加え、隙間がコイルエンドの根本へ向けて徐々に小さくなるので、隙間に溜まったワニスがその自重により側面からもコイルエンドに含浸し、かつ、最後には溜まったワニスは全量がコイルエンドへ含浸し、シール部材には残らない。
【００１６】
上記目的を達成するために、請求項６に記載の発明は、ステータコアに装着されたコイルにワニスを含浸させるワニス処理装置であって、ステータコア端面から突出するコイルエンドの内外周側面のうち少なくとも外周側面に配設され、ステータコア端面とコイルエンドとの間をシールすると共に、コイルエンドとの間に隙間を持たせてコイルエンドの側面を覆うシール部材と、シール部材が配設されたコイルエンドを上に向けてステータコアに装着されたコイルのコイルエンドが上下になる姿勢でステータコアを保持し、コイルエンドの上面にワニスを供給するワニス供給手段とを備えたことを趣旨とする。
【００１７】
上記発明の構成によれば、コイルエンドの内外周側面のうち少なくとも外周側面にて、ステータコア端面とコイルエンドとの間がシール部材によりシールされ、そのシール部材とコイルエンドとの間に隙間を持たせた状態でコイルエンドの側面がシール部材により覆われる。そして、シール部材が配設されたコイルエンドを上に向けてステータコアに装着されたコイルのコイルエンドが上下になる姿勢でステータコアが保持された状態で、ワニス供給手段からコイルエンドの上面にワニスを供給することにより、コイルエンドの上面からワニスが注入され、コイルエンドの上から下へワニスが含浸流下することとなる。このとき、ステータコア端面とコイルエンドとの間がシール部材によりシールされるので、コイルエンドに供給されるワニスがステータコア内外周面までに垂れ落ちることがない。また、供給されるワニスがコイルエンドの側面とシール部材との間の隙間に入り込むので、その側面からもコイルエンドにワニスが含浸することとなる。
【００１８】
上記目的を達成するために、請求項７に記載の発明は、請求項６に記載の発明において、シール部材とコイルエンドとの間に持たせた隙間は、コイルエンドの根本へ向けて徐々に小さくなることを趣旨とする。
【００１９】
上記発明の構成によれば、請求項６に記載の発明の作用に加え、隙間がコイルエンドの根本へ向けて徐々に小さくなるので、隙間に溜まったワニスがその自重により側面からコイルエンドに含浸し易くなる。
【発明の効果】
【００２０】
請求項１に記載の発明によれば、ステータコア内外周面までへのワニスの垂れ落ちや付着を防止することができ、コイルにおけるワニスの含浸ムラをなくし、歩留まりをあげることができる。
【００２１】
請求項２に記載の発明によれば、請求項１に記載の発明の効果に加え、シール部材を含む装置構成につき小型化と簡略化を図ることができ、ワニス処理のサイクルタイムを短縮することができる。
【００２２】
請求項３に記載の発明によれば、請求項１又は２に記載の発明の効果に加え、シール部材の装着や取り外しを比較的簡単な手作業や機械装置で供給工程以前に実施することができる。
【００２３】
請求項４に記載の発明によれば、請求項３に記載の発明の効果に加え、シール部材によるシール性を向上させることができる。
【００２４】
請求項５に記載の発明によれば、請求項１乃至４の何れかに記載の発明の効果に加え、同時にコイルエンド側面からのワニスの充填性を向上させることができ、ワニス充填時間を更に短縮することができる。
【００２５】
請求項６に記載の発明によれば、ステータコア内外周面までへのワニスの垂れ落ちや付着を防止することができ、コイルにおけるワニスの含浸ムラをなくし、歩留まりをあげることができる。
【００２６】
請求項７に記載の発明によれば、請求項６に記載の発明の効果に加え、同時にコイルエンド側面からのワニスの充填性を向上させることができ、ワニス充填時間を更に短縮することができる。
【発明を実施するための最良の形態】
【００２７】
［第１実施形態］
以下、本発明のワニス処理方法及びワニス処理装置を具体化した第１実施形態につき図面を参照して詳細に説明する。
【００２８】
図１に、本実施形態のワニス処理方法が実施されるステータ１の概略形状を断面図により示す。このステータ１は、ステータコア２のスロット２ｃ（図２参照）にコイル３が装着されたものである。ワニス処理後のステータ１は、ステータとして高占積率の電動機に使用される。図１は、ステータ１が水平に保持された状態、すなわち、ステータコア２が縦向きとなる状態を示す。図１において、ステータコア２及びコイル３についての断面表記（ハッチング）は、便宜上省略する。ステータコア２は、電磁鋼板を積層して円環状に構成される。水平に保持された状態において、コイル３のうちステータコア２の上側端面２ａから上方へ突出する部分が上側コイルエンド３ａであり、ステータコア２の下側端面２ｂから下方へ突出する部分が下側コイルエンド３ｂである。下側コイルエンド３ｂからは、コイル端子３ｃが横方向へ突出する。ここで、ステータコア２が水平に保持される状態とは、ステータコア２に装着されたコイル３のコイルエンド３ａ，３ｂが上下になる姿勢でステータコア２の姿勢を意味し、特に上側コイルエンド３ａと下側コイルエンド３ｂとの間のコイル３が上下に延在するようなステータコア２の姿勢を意味する。
【００２９】
図２に、一般によく用いられるコイル分布巻きステータを例にし、図１に示すステータ１のコイル構成を説明するために、コイルエンド部を簡素にしてイメージした模式的なステータを斜視図により詳細に示す。図３に、ステータ１の内周面における各相１ブロックにつき、ステータコア２とコイル３との関係を模式的に正面図により示す。ステータコア２は、所定の厚みを有し円環状をなす。ステータコア２の内周には、垂直方向へ延びる複数のスロット２ｃが互いに平行に形成される。これらスロット２ｃに対し、Ｕ相、Ｖ相及びＷ相を構成する異なる巻線３Ｕ，３Ｖ，３Ｗは、相間紙４を介して絶縁させて装着される。すなわち、各相の巻線３Ｕ〜３Ｗは、ステータコア２の上端面２ａと下端面２ｂとの間を、スロット２ｃを介して往復するかたちでステータコア２に装着される。そして、図２に示すように、各巻線３Ｕ〜３Ｗのうち、ステータコア２の上端面２ａと下端面２ｂからそれぞれ突出した部分が寄せ合わされ束ねられることにより、図１に示すように、上側コイルエンド３ａ及び下側コイルエンド３ｂが形成される。上側コイルエンド３ａと下側コイルエンド３ｂは、スロット２ｃを通る巻線３Ｕ〜３Ｗを介してつながる。このため、図１〜３に示すように、ステータ１（ステータコア２）を水平に保持した状態では、上側コイルエンド３ａの上面から液体状のワニスを注入することにより、そのワニスは、各スロット２ｃを介して下側コイルエンド３ｂへ含浸流下することが可能である。このことは、コイル集中巻きステータやカセット式コイルのステータ等においても同様な関係である。
【００３０】
次に、上記したコイル３にワニスを含浸させるワニス処理方法について説明する。ワニスは、主としてコイル３を構成する線材を固着するためと、コイル３の放熱性（熱伝導性）を高めるためにコイル３に注入される。図４に、ステータコア２に装着されたコイル３にワニスを含浸させるワニス処理方法の手順をフローチャートにより示す。
【００３１】
この実施形態のコイル３は、製品サイズに応じて、一般に、２００〜５００ｇのワニスを注入、充填する必要がある。この実施形態では、ワニスがコイル３以外のステータコア２の内外周側面に付着することがないようにし、かつ大幅に短い時間のうちにコイル３にワニスを充填ムラなく安定して含浸させることを目的としてワニス処理方法が実施される。
【００３２】
先ず、ステップ１では、図１に示すステータ１を所定の温度に前加熱する。この実施形態では、ステータ１（ステータコア２及びコイル３）が「約１２０℃」の温度になるよう事前に加熱する。
【００３３】
次に、ステップ２へ移行する前に、本発明のシール工程に相当する第１シールを実施する。すなわち、上側コイルエンド３ａの内周側面と外周側面のそれぞれをシールする。図５に、図１の２点鎖線で囲んだ部分にシール装置１１を装着した状態を概略図により示す。図５に示すように、シール装置１１は上側コイルエンド３ａに装着される。シール装置１１は、上側コイルエンド３ａの内周側面及びステータコア２の内周側面の一部、並びにステータコア２の上端面２ａの一部をシールするための内周シール具１２と、上側コイルエンド３ａの外周側面及びステータコア２の上端面２ａの一部をそれぞれシールするための外周シール具１３とから構成される。内周シール具１２と外周シール具１３は互いに別部材であり、各々別々に装着される。
【００３４】
内周シール具１２は、内周シール部材１４と、内周押さえ枠１５とを含む。内周押さえ枠１５の内部には、内周シール部材１４を加熱保温するためのプレートヒータ１６が設けられる。内周シール部材１４は、上側コイルエンド３ａの内周側面の一部に当接した状態で、内側から内周押さえ枠１５により押圧される。内周シール部材１４及び内周押さえ枠１５は、コイル３の内周に沿った形状をなし、上側コイルエンド３ａの内周に対して垂直方向へ移動させることで着脱可能に設けられる。内周シール部材１４及び内周押さえ枠１５は、複数片に分割可能な構造であってもよい。内周シール部材１４は、上側コイルエンド３ａの内周側面に沿って配設され、ステータコア２の上端面２ａと上側コイルエンド３ａとの間をシールすると共に、上側コイルエンド３ａとの間に隙間Ｇ１を持たせて上側コイルエンド３ａの内周側面を覆う。内周シール部材１４の上側コイルエンド３ａとの対向面１４ｂは、上側コイルエンド３ａの根本へ向けて傾斜するテーパをなす。これにより、上記隙間Ｇ１が、上側コイルエンド３ａの根本へ向けて徐々に小さくなっている。この隙間Ｇ１は、上側コイルエンド３ａの内周側面の７０％以上の範囲に対応して設けられる。内周シール部材１４が上側コイルエンド３ａの内周側面に接するのは、上側コイルエンド３ａの根本に近い部分だけである。
【００３５】
一方、外周シール具１２は、外周シール部材１６と、外周押さえ枠１７とを含む。外周押さえ枠１７の内部には、外周シール部材１６を加熱保温するためのプレートヒータ１６が設けられる。外周シール部材１６は、上側コイルエンド３ａの外周側面に当接した状態で、外側から外周押さえ枠１７により押圧される。外周シール部材１６及び外周押さえ枠１７は、コイル３の外周に沿った形状をなし、上側コイルエンド３ａの外周に対して水平方向へ移動させることで着脱可能に設けられる。外周シール部材１６及び外周押さえ枠１７は、複数片に分割可能な構造であってもよい。外周シール部材１６は、上側コイルエンド３ａの外周側面に沿って配設され、ステータコア２の上端面２ａと上側コイルエンド３ａとの間をシールすると共に、上側コイルエンド３ａとの間に隙間Ｇ２を持たせて上側コイルエンド３ａの外周側面を覆う。外周シール部材１６の上側コイルエンド３ａとの対向面１６ｂは、上側コイルエンド３ａの根本へ向けて傾斜するテーパをなす。これにより、上記隙間Ｇ２が、上側コイルエンド３ａの根本へ向けて徐々に小さくなっている。この隙間Ｇ２は、上側コイルエンド３ａの外周側面の７０％以上の範囲に対応して設けられる。外周シール部材１６が上側コイルエンド３ａの外周側面に接するのは、上側コイルエンド３ａの根本に近い部分だけである。
【００３６】
各シール部材１４，１６には、シリコンゴムの他、フッ素ゴム等の１２０℃以上の耐熱性と耐薬品性を有する材料を選定することができる。また、製品と接する各シールの面は、事前に製品モデルを転写した型を用いて鋳型にしたものが用いられる。図５に示すように、上側コイルエンド３ａの内外周が両シール部材１４，１６によりシールされた状態で、両シール部材１４，１６の上部が上側コイルエンド３ａの上面より上方へ突出しており、その突出部分が上側コイルエンド３ａの上面に対して堤部１４ａ，１６ａをなしている。
【００３７】
上記したように第１シールでは、上側コイルエンド３ａの内外周側面に、ステータコア２の上端面２ａと上側コイルエンド３ａとの間をシールする内周シール部材１４及び外周シール部材１６をそれぞれ配設し、各シール部材１４，１６と上側コイルエンド３ａとの間に隙間Ｇ１，Ｇ２を持たせて上側コイルエンド３ａの内外周側面を覆うのである。
【００３８】
その後、ステップ２では、第１供給工程を実施する。すなわち、ステータコア２に装着されたコイル３のコイルエンド３ａ，３ｂが上下になる姿勢でステータコア２を、図１に示すように水平に保持した状態で、上側コイルエンド３ａの上面からワニスを多点ノズル２４で注入する。そして、注入された上側コイルエンド３ａの上から下へ含浸流下するワニスが、コイル３のうち下側コイルエンド３ｂの外部に達するより前にゲル化するように供給量を制御しながらワニスを供給する。
【００３９】
図６に、本発明のワニス供給手段に相当するワニスの注入装置２１の概略構成を斜視図により示す。図６において、上記したシール装置の図示は便宜上省略する。ステータ１は、例えば、搬送用パレット２２の上に置かれて固定され、水平に保持される。また、ステータ１を、搬送用パレット２２ごとに水平回転可能又は水平揺動可能にできる設備機構が別途設けられる。ワニス注入時には、ステータ１を水平回転又は水平揺動させるようになっている。ワニスの注入装置２１は、２液直前混合装置２３と、その混合装置２３で混合した２液反応状態のワニスを吐出する３本のノズル２４とを備える。２液直前混合装置２３は、２液体反応材料を供給する二つの配管２５，２６と、供給された２種類の液体材料を混合するために二つの配管２５，２６が、各々開閉バルブ機構を介して接続された混合器２７と、混合器２７を駆動するモータ２８と、混合器２７の出口に取り付けられた円板２９とを備える。例えば、３本の各ノズル２４は、混合器２７から放射状に分岐して設けられる。２液体反応材料が混合器２７で混合されることにより所定のワニスが作られる。この実施形態では、２液体反応材料として、例えば、不飽和ポリエステル系の熱硬化性樹脂と、ＭＥＫ過酸化化合物又はエステル系過酸化化合物よりなる触媒材料とが使われ、これら液体材料を注入直前に混合することにより、従来の１０倍以上の速度でゲル化するハイキュアなワニスを得るようになっている。この実施形態では、ワニスとして、上側コイルエンド３ａの上面から注入されてから下側コイルエンド３ｂの外部に達するまでの時間以内にゲル化が始まるようなハイキュアなワニス材が用いられる。このように得られたワニスは、各ノズル２４の先端から吐出されて上側コイルエンド３ａの上面からコイル３に注入される。この実施形態では、各ノズル２４からのワニスの吐出を、上側コイルエンド３ａの上面に対し同じ高さから行うために、各ノズル２４の上下位置が設定される。また、各ノズル２４の先端は、ステータ１のＷ，Ｖ，Ｕの各相のコイルブロックが同一円周上に並ぶ規則性を利用し、コイル３のＷ，Ｖ，Ｕの各相の適切な位置に各１個配置される。
【００４０】
このように上側コイルエンド３ａの上面からワニスを注入することで、毛細管浸透と重力浸透の効果が得られ、ワニスが上側コイルエンド３ａを上から下へ向けて速やかに含浸流下することとなる。このように毛細管浸透と重力浸透の効果が得られるので、コイル３に対するワニスの浸透速度として、従来例の５倍以上の速度を引き出すことができる。ワニス注入時にステータ１を水平回転又は水平揺動させることと、上側コイルエンド３ａの上面にワニスを多点ノズルで注入することで、満遍なく供給するようにしている。すなわち、図５に示すように、各コイルエンド３ａ，３ｂは、相間紙４により幅方向に、Ｗ相、Ｖ相及びＵ相の３つの巻線３Ｕ〜３Ｗに仕切られるが、これらの巻線３Ｕ〜３Ｗへワニスを満遍なく供給するようにしている。この実施形態では、例えば、ステータ１の水平回転を「３０ｒｐｍ」の回転速度で行い、その回転によりステータ１が同じ位置に戻るまでにワニスの含浸が丁度終わるまでの最大注入量として、従来法の最大１（ｇ／秒）のステータ１において、一つのノズル２４の全体からの注入速度が「７ｇ／秒」となるように設定することができる。また、上記した各シール部材１４，１６に堤部１４ａ，１６ａが設けられるので、上側コイルエンド３ａの上面に吐出されたワニスが、同コイルエンド３ａの内外周側面やステータコア２の上端面２ａに垂れ落ちないようにしている。同時に、注入されるワニスを、上側コイルエンド３ａの上面に一旦溜まる程度に受けることができるので、製品として含浸できる最大量と同等レベルの量のワニスを供給することができ、注入中連続して最大浸透速度を引き出すことができる。これにより、所定量のワニスをコイル３に注入するための注入時間を大幅に短縮することができる。
【００４１】
ここでは、ステータ１が、ステータコア２に装着されたコイル３のコイルエンド３ａ，３ｂが上下になる姿勢で水平に保持されるので、その意味でも、注入中にコイル３の内部に含浸するワニスが、常にコイル３の上から下へ含浸流下することとなり、かつ、ステータコア２が傾かないことで、ステータコア２の内外周側面にワニスが垂れ落ちることを原理的に防止することができる。
【００４２】
この実施形態では、上記したように２液体反応材料を注入直前に混合することによりハイキュアなワニスを得ている。２液体反応材料として、例えば、熱硬化性樹脂と触媒を組み合わせている。その２液体反応材料は、定量ポンプで計量され、必要な配合比で事前に定量混合される。例えば、必要な配合比として、熱硬化性樹脂と触媒の質量比を「１００：１〜５」とすることができる。図７に、ワニスの粘度特性をグラフに示す。この実施形態で使用されるワニスは、「１２０℃」の温度状態で注入された場合に、ゲル化時間が「６０秒以下」となるように設定される。ゲル化時間を「６０秒以下」とした意味は、高性能な高占積率のワニスを含浸させる時間が長くかかるステータ１において、従来のワニスが、上側コイルエンドから含浸して下側コイルエンドから抜け落ちる時間と同等で、そのレベルを限界としたことによる。ここで、「ゲル化」とは、反応性樹脂において、急速な反応により材料粘度が急激に増大して流動停止レベルになる状態を意味する。図７から明らかなように、開発材（本実施形態のワニス）は、ゲル化が６０秒以下であるが、これは従来材（従来例のワニス）がゲル化時間１０分程度に比べて１／１０以下の短時間であることが分かる。
【００４３】
第１供給工程では、ワニスの注入中にワニスをゲル化反応させることで、コイル３に含浸していくワニスが前加熱されたステータコア２から伝熱履歴を受け、最初にワニスの流動先端位置がステータコア２のスロット２ｃの下部から下側コイルエンド３ｂの中央までの間でゲル化するように、上記のハイキュアなワニスの注入量と注入速度、すなわちワニスの供給量を制御する。図８に、ワニスの流動状態を概念図により示す。図８において、多数の点を散りばめて示す領域が流動したワニスを意味する。図８に示すように、ステータコア２の高さ（コア高さ）を「ＨＣ」とし、下側コイルエンド３ｂの高さ（エンド高さ）を「ＨＫ」とすると、コア高さの半分「ＨＣ／２」の位置から、エンド高さの半分「ＨＫ／２」の位置までの間でハイキュアなワニスの流動先端位置がゲル化するようにワニスの供給量を制御する。これにより、コイル３の上から下へのワニス流路の途中を堰き止めるようにしている。この結果、最初は液状であったワニスが、図８に示すように、熱履歴上、一番最初にゲル化する堰き止め位置ＰＤから上へ順次溜まっていき、かつ、随時ゲル化反応を起こして流動停止しながら、ステータコア２のスロット２ｃと上側コイルエンド３ａとの部分に順次充填することができる。
【００４４】
また、第１シールの実施で装着されたシール装置１１により、上側コイルエンド３ａの内外周側面の７０％以上の範囲で各シール部材１４，１６との間に隙間Ｇ１，Ｇ２が設けられるので、ノズル２４から供給されたワニスが隙間Ｇ１，Ｇ２にも入り込み、ワニスが上側コイルエンド３ａの内外周側面からも含浸することとなる。
【００４５】
次に、ステップ３へ移行する前に、上側コイルエンド３ａのシールを解除する。すなわち、図５に示す内周シール具１２及び外周シール具１３を各々上側コイルエンド３ａから取り外す。
【００４６】
その後、ステップ３では、天地の（上下の）反転工程を実施する。すなわち、第１供給工程で最後に供給されたワニスがゲル化する時間以上の間隔をおいて、図９に示すように、ステータ１を反転させる。これにより、今まで下側に配置されていた下側コイルエンド３ｂが、上側に配置されることとなる。ここで、上側コイルエンド３ａに注入した先のワニスは、その注入からゲル化までが完了しているので、注入したワニスは、この時点では液体状態ではない。このため、ステータ１が上下反転するときに、ステータ１が傾いたり、逆さになったりしても、ワニスが垂れ落ちることがない。
【００４７】
次に、ステップ４へ移行する前に、本発明のシール工程に相当する第２シールを実施する。すなわち、今度は、上側に配置された下側コイルエンド３ｂの内外周をシールする。このシールは、図５に示すと同様に内周シール具１２及び外周シール具１３を使用して行われる。
【００４８】
その後、ステップ４では、第２供給工程を実施する。すなわち、反転工程の後に、ステータ１を水平に保持した状態で、下側コイルエンド３ｂの上面からワニスを注入し、第１供給工程でゲル化が始まった位置付近までワニスを含浸させてからゲル化が始まるように供給量を制御しながらワニスを下側コイルエンド３ｂに供給し、ゲル化させる。このことにより、反転しないケースに比べ、重力の影響によるステータコア２の上下の充填量偏りをなくすことができ、従来例の滴下法並の充填度合いを確保することができるという効果を得ることができるようになった。このステップ４でも上記したワニスの注入装置２１が使用される。
【００４９】
次に、ステップ５へ移行する前に、下側コイルエンド３ｂの内外周シールを解除する。そして、最後に、ステップ５では、ステータ１につき、コイル３に含浸させたワニスを保温して硬化させる。
【００５０】
つまり、この実施形態では、特に高占積率な電動機に使用されるステータコア２のコイル３にワニスを含浸させるワニス処理方法において、ステータコア２の内外周に対するワニスの注入垂れ付着を防止することと、コイル３に対するワニスの良好な含浸充填性と、コイル３に対するワニスの大量高速注入性とを共に成立させるために、ゲル化時間が６０秒以下となるハイキュア化したワニスを用い、かつ、事前に加熱したステータコア２及びコイル３を縦向き姿勢、つまり、コイルエンド３ａ，３ｂが上下の状態になる姿勢にし、その内外周部をシールした状態で、水平回転又は水平揺動させながら、先ずその上側コイルエンド３ａへ大量のワニスを注入し含浸流下させながらゲル化させ、次にステータコア２を上下反転させて、上記と同様にワニスを注入、ゲル化させてコイル３の全域にワニスを充填させるようにしている。併せて、Ｕ相、Ｖ相及びＷ相の３相からなる各コイルエンド３ａ，３ｂにて、各相間のバランスを取ってワニス充填性を高めながら、かつ、更にワニス注入時間を短縮させるために、各コイルエンド３ａ，３ｂの内外周側面の７０％以上の範囲で隙間Ｇ１，Ｇ２を設けることで、ワニスを各コイルエンド３ａ，３ｂの内外周側面からも含浸させるようにしている。
【００５１】
ここで、上記したワニス処理方法によるワニス供給パターンを、図１０にグラフにより示す。このグラフは、横軸に時間（秒）を示し、縦軸にワニスの時間当たりの総供給量である注入速度（ｇ／秒）を示す。このグラフから分かるように、時刻ｔ１〜ｔ５の間に第１供給工程を実施し、時刻ｔ６〜ｔ７の間に反転工程を実施し、その反転工程の後、時刻ｔ８〜ｔ１０の間に第２供給工程を実施している。
【００５２】
第１供給工程では、その途中で、ワニスの注入速度を一旦減少させ、その後に増大させるようにしている。より詳細には、ワニスの注入速度を、初めに時刻ｔ１で一気に増大させ、時刻ｔ１〜ｔ２の間で一定速度を維持して、その途中の時刻ｔ２〜ｔ３の間で一旦減少させ、その後に時刻ｔ３で一気に増大させ、時刻ｔ３〜ｔ４の間で一定速度を維持してから、時刻ｔ４〜ｔ５の間で漸減させるようにしている。つまり、この第１供給工程では、ワニスの注入を休止時間ＴＫを挟んで、前半と後半に２分割している。この実施形態では、前記前半期（時刻ｔ１〜ｔ２）におけるワニスの総供給量に対し、前記後半期（時刻ｔ３〜ｔ５）におけるワニスの総供給量を１／２としている。ここで、休止時間ＴＫは、キュア条件設定したゲル化時間ＴＧの三分の一以上で、かつ、前半の注入時間Ｔ１と休止時間ＴＫとの和がゲル化時間ＴＧよりも大きくなるように設定されている。このように、第１供給工程の途中で休止時間ＴＫを設けて、ワニスの注入を一旦急停止させることで、後半に注入されるワニスに押されないようにし、かつ、ワニスの浸透流速を急減速させて緩やかにして、前半に注入したワニスをある程度ゲル化させる位置にバラツキが出ないようにしている。これにより、前半に注入されたワニスがゲル化時間ＴＧに達するときに形成される堰き止めの位置が、例えば、特別な温度や反応時間の制御をすることなく、第１供給工程により安定した状態に制御できるようにしている。
【００５３】
その後、時刻ｔ５〜ｔ８の間は、ワニスの供給を休止する時間となるが、この休止時間の途中の時刻ｔ６〜ｔ７の間に反転工程を実施している。この反転工程は、第２供給工程を開始する前までに完了する。
【００５４】
その後、第２供給工程では、ワニスの注入速度を、初めに時刻ｔ８で一気に増大させ、時刻ｔ８〜ｔ９の間で一定速度を維持させてから、時刻ｔ９〜ｔ１０の間で漸減させるようにしている。この実施形態では、第１供給工程におけるワニスの総供給量を全供給量の２／３程度とし、第２供給工程におけるワニスの総供給量を全供給量の残余分（１／３程度）としている。
【００５５】
以上説明したこの実施形態のワニス処理方法によれば、第１供給工程で、ステータコア２に装着されたコイル３のコイルエンド３ａ，３ｂが上下になる姿勢で水平に保持されたステータコア２に装着されたコイル３の上側コイルエンド３ａの上面からワニスを注入し、上側コイルエンド３ａの上から下へ含浸流下するワニスが、下側コイルエンド３ｂの外部に達するより前にゲル化するようにワニスの供給量が制御される。その後、反転工程では、第１供給工程で最後に供給されたワニスがゲル化する時間以上の間隔をおいてコイル３が装着されたステータコア２が反転される。その後、第２供給工程では、反転工程の後に、第１供給工程でゲル化が始まった位置付近でゲル化が始まるようにワニスの供給量が制御される。従って、上側コイルエンド３ａの上面からワニスを注入することで、毛細管浸透と重力浸透の効果が得られ、ワニスが上側コイルエンド３ａを上から下へ向けて速やかに含浸流下することとなる。このため、所定量のワニスをコイル３に注入するための注入時間を短縮することができ、この意味でワニスの処理時間を短縮することができる。また、各工程の進行に伴いワニスが順次充填されながらゲル化していくこととなり、ワニスは液状状態から短い時間で充填したまま流動停止するので、安定した含浸状態が得られ、しかも、ステータコア２の反転時や搬送時にワニスの飛散や流出が抑えられる。このため、コイル３に対するワニスの含浸不足や含浸ばらつきを防止することができる。更に、ワニス処理後に、ステータコア２の内外周側面にワニスの垂れ付着がないので、余分なワニスを除去するトリミングの手間を削減することができる。
【００５６】
また、この実施形態では、第１供給工程の前の第１シールの実施で、上側コイルエンド３ａの内外周側面に、ステータコア２の上端面２ａと上側コイルエンド３ａとの間をシールする内周シール部材１４及び外周シール部材１６が配設され、それらシール部材１４，１６と上側コイルエンド３ａとの間に隙間Ｇ１，Ｇ２が設けられた状態で上側コイルエンド３ａの内外周側面が各シール部材１４，１６により覆われる。その後、第１供給工程では、各シール部材１４，１６が配設された上側コイルエンド３ａを上に向けてステータコア２に装着されたコイル３のコイルエンド３ａ，３ｂが上下になる姿勢でステータコア２が水平に保持された状態で、上側コイルエンド３ａの上面からワニスを注入し、上側コイルエンド３ａの上から下へワニスを含浸流下させるようにワニスが供給される。従って、図１１に示すように、ステータコア２の上端面２ａと上側コイルエンド３ａとの間が各シール部材１４，１６によりシールされることから、上側コイルエンド３ａの上面に供給されるワニスＷＡがステータコア２の外周面までに垂れ落ちることがない。このため、ステータコア２の内外周面へのワニスの垂れ付着を防止することができる。また、図１１に示すように、供給されるワニスＷＡが上側コイルエンド３ａの内外周側面と各シール部材１４，１６との間の隙間Ｇ１，Ｇ２に入り込むので、内外周側面からも上側コイルエンド３ａにワニスＷＡが含浸することとなる。このため、上側コイルエンド３ａに対するワニスＷＡの含浸ばらつきが少なくなり、コイル３におけるワニスＷＡの含浸ムラを防止することのできる。特に、Ｕ相、Ｖ相及びＷ相の巻線３Ｕ〜３Ｗが束ねられる上側コイルエンド３ａでは、ワニスの充填性につき、従来は、中央に位置するＶ相に比較して、内外両側に位置するＷ相及びＵ相でのワニス充填に時間がかかり、かつ相別の充填分布も劣る傾向があった。しかし、この実施形態では、上側コイルエンド３ａの内外周側面からもワニスＷＡが含浸することから、Ｗ相及びＵ相でのワニス充填時間を短くすることができ、各相別のワニス充填分布も均一化した良好なものにすることができる。特に、この実施形態では、上記した各隙間Ｇ１，Ｇ２が上側コイルエンド３ａの根本へ向けて徐々に小さくなるので、各隙間Ｇ１，Ｇ２に入り込んで溜まったワニスＷＡがその自重により内外周側面からも上側コイルエンド３ａに含浸し、かつ、最後には溜まったワニスは全量が上側コイルエンド３ａへ含浸し、シール部材１４，１６には残らない。この意味から、上側コイルエンド３ａの内外周側面からのワニスの充填性、すなわちＷ相及びＵ相に対するワニスの充填性を向上させることができ、ワニス充填時間を更に短縮することができる。
【００５７】
上記した作用効果は、第２シールを実施後第２供給工程により、下側コイルエンド３ｂについても同様に得られる。従って、上側コイルエンド３ａ及び下側コイルエンド３ｂにつき、ワニスの含浸ムラを防止でき、ワニス充填時間を短縮できるので、コイル３の全体として、ワニスの含浸ムラを防止することができ、ワニス充填時間を短縮することができるようになる。
【００５８】
また、この実施形態によれば、第１供給工程の途中で、ワニスの時間当たりの供給量、すなわちワニスの注入速度を一旦減少させ、その後に増大させている。従って、先に供給されたワニスの総供給量が一旦減少するので、先に供給されたワニスが、後から供給されるワニスに押されなくなる。このため、第１供給工程において、ワニスのゲル化開始位置を安定的に設定することができる。
【００５９】
特に、この実施形態では、第１供給工程において、ワニスの注入速度を、初めに一気に増大させ、その途中で一旦減少させ、その後に一気に増大させてから漸減させている。特に、この実施形態では、初めに一気に増大させてから一旦減少させるワニスの総供給量に対し、その後に一気に増大させてから漸減させるワニスの総供給量を１／２としている。従って、初めにワニスの供給量を一気に増大させるので、最初から多量のワニスが上側コイルエンド３ａに注入され、下側コイルエンド３ｂへ向けて速やかに含浸流下することとなる。また、先に供給されたワニスに比べ、後から供給されるワニスは、供給量を一気に増大させてから漸減させるので、第１供給工程で供給すべき総供給量に対する供給の調節が容易となる。このため、ワニス量の歩留まりが向上し、その結果としてワニスの処理時間を短縮することができる。また、上側コイルエンド３ａの上面でワニスの注入を丁度終えることができ、上側コイルエンド３ａに過不足無くワニスを充填することができる。
【００６０】
更に、この実施形態によれば、第２供給工程において、ワニスの注入速度を、初めに一気に増大させてから漸減させている。従って、初めにワニスの供給量を一気に増大させるので、最初から多量のワニスが下側コイルエンド３ｂに注入され、下へ向けて速やかに含浸流下することとなる。また、供給の途中から供給量を漸減させるので、第２供給工程で供給すべき全供給量に対する供給の調節が容易となる。このため、ワニスの処理時間を短縮することができ、下側コイルエンド３ｂの上面でワニスの注入を丁度終えることができ、下側コイルエンド３ｂに過不足無くワニスを充填することができる。
【００６１】
また、この実施形態では、第１供給工程で全供給量の２／３程度という大半のワニスが供給され、第２供給工程で全供給量の残余分である１／３程度という少なめのワニスが供給されるので、第２供給工程で供給されるワニスのゲル化に要する時間が短くなる。このため、第２供給工程後からワニス処理完了までの待機時間を短縮することができる。
【００６２】
［第２実施形態］
次に、本発明のワニス処理方法及びワニス処理装置を具体化した第２実施形態につき図面を参照して詳細に説明する。
【００６３】
この第２実施形態は、前記第１実施形態と、各コイルエンド３ａ，３ｂの内周側面に対して設けられる内周シール具３２の点で構成が異なる。図１２に、この実施形態におけるシール装置３１を、図５に準ずる断面図により示す。この断面図から分かるように、シール装置３１は、内周シール具３２と、外周シール具１３とから構成され、各シール具３２，１３は互いに別部材であり、各々別々に装着される。内周シール具３２を構成する内周シール部材３４は、第１実施形態の内周シール部材１４よりも上下寸法が小さく小型化され、かつ、各コイルエンド３ａ，３ｂの内周側面から離れて配設され、ステータコア２の上端角部に対してのみ接触するようになっている。つまり、内周シール部材３４と、各コイルエンド３ａ，３ｂとの間の隙間Ｇ１は、各コイルエンド３ａ，３ｂの内周側面全域に対応して設けられるようになっている。また、内周シール具３２を構成する内周押さえ枠３５は、内周シール部材３４の小型化に合わせて小型化されている。一方、外周シール具１３は、第１実施形態のそれと同じ構成を備えている。このような構成としたのは、各コイルエンド３ａ，３ｂにつき、Ｕ相の巻線３Ｕの上面の面積に比べてＷ相の巻線３Ｗの上面の面積の方が広く、Ｗ相の巻線３Ｗの側面（コイルエンド３ａ，３ｂの内周側面）からのワニス充填速度が多少落ちても作用効果に大きな影響がないことによるものである。
【００６４】
従って、この実施形態のワニス処理方法及びワニス処理装置によれば、シール装置３１、特に内周シール具３２の小型化と構成の簡略化を図ることができる。それ以外の作用効果は、第１実施形態のそれと基本的に同じである。
【００６５】
［第３実施形態］
次に、本発明のワニス処理方法及びワニス処理装置を具体化した第３実施形態につき図面を参照して詳細に説明する。
【００６６】
この第３実施形態は、前記第１及び第２の実施形態と、各コイルエンド３ａ，３ｂに対して設けられるシール装置４１の点で構成が異なる。図１３に、この実施形態におけるシール装置４１を、図５及び図１２に準ずる断面図により示す。この断面図から分かるように、この実施形態のシール装置４１は、各コイルエンド３ａ，３ｂの内周側面にはシール部材を配設せず、各コイルエンド３ａ，３ｂの外周側面に対してのみ設けられるシール部材４６から構成される。図１３に示すように、同じような基本形状をなす上側のシール部材４６と下側のシール装置４７とでシール装置を構成し、ワニスの第１供給工程の前のステータ１をセットするときに、上側コイルエンド３ａと下側コイルエンド３ｂにそれぞれシール部材４６とシール部材４７を予め装着しておく。この場合、第１実施形態とは異なり、第１供給工程の後に第１シールを解除する必要がなく、第２供給工程の前に第２シールを行う必要もなく、更に、第２供給工程の後に第２シールを解除する必要もない。シールの解除は、保温硬化後に行う。この結果、ワニス処理のサイクルタイムを短縮することができる。また、各コイルエンド３ａ，３ｂの上面からワニスを注入するノズル２４は、各Ｗ，Ｖ，Ｕ相の３本内、特に各コイルエンド３ａ，３ｂの上面のうち最内側寄りに位置するＷ相の巻線３Ｗの上面に整合するもののみ実線で示している。そして、各コイルエンド３ａ，３ｂに対するワニスの供給量に見合った速度でステータコア２を回転させながらノズル２４からワニスを供給するようになっている。この実施形態では、例えば、ステータコア２が「１５ｒｐｍ」以上の速さで回転され、その回転速度に対応して「５（ｇ／秒）」以下の注入速度でワニスが供給されるようになっている。これにより、遠心力にて各コイルエンド３ａ，３ｂの内周側面からステータコア２の内外周面までへのワニスの垂れ付着を抑制するようになっている。この実施形態のシール部材４６は、各コイルエンド３ａ，３ｂの外周側面に対応した筒状をなし、ゴム材質により形成され、自身の弾性力により各コイルエンド３ａ，３ｂの根本に嵌着されるように構成される。シール部材４６の上部が各コイルエンド３ａ，３ｂの上面より上方へ突出しており、その突出部分が各コイルエンド３ａ，３ｂの上面に対して堤部４６ａをなしている。各コイルエンド３ａ，３ｂの外周側面とのシール部材４６の対向面４６ｂは、前記各実施形態と同様にテーパをなしており、シール部材４６と各コイルエンド３ａ，３ｂの外周側面との間の隙間Ｇ２は、各コイルエンド３ａ，３ｂの根本へ向けて徐々に小さくなっている。
【００６７】
従って、この実施形態のワニス処理方法及びワニス処理装置によれば、各コイルエンド３ａ，３ｂの内周側面に配設される内周シール部材を省略できるので、シール部材４６から構成されるシール装置４１の小型化と簡略化を図ることができる。また、内周シール部材を省略できる分だけ第１シール及び第２シールの所要時間が短くなる。この結果、ワニス処理のサイクルタイムを短縮することができる。更に、ステータコア２が回転されるので、ノズル２４が定位置に固定されて定位置からワニスが供給されても、各コイルエンド３ａ，３ｂの円周方向に満遍なくワニスが供給される。しかも、図１４に示すように、ノズル２４から各コイルエンド３ａ，３ｂの上面に供給されて各コイルエンド３ａ，３ｂの内周側面に流れたワニスＷＡは、その内周側面から遠心力ＦＣの作用によりステータコア２の内周面に垂れ落ちることなく各コイルエンド３ａ，３ｂに含浸することとなる。この意味でも、各コイルエンド３ａ，３ｂに対するワニスの含浸ムラを防止することができる。併せて、シール部材４６が自身の弾性力により各コイルエンド３ａ，３ｂの根本に嵌着されるので、シール部材４６の着脱が容易となる。このため、シール装置４１（シール部材４６）の装着や取り外しを比較的簡単な手作業や機械装置で実施することができる。それ以外の作用効果は、第１実施形態のそれと基本的に同じである。
【００６８】
尚、この発明は前記各実施形態に限定されるものではなく、発明の趣旨を逸脱することのない範囲で構成の一部を適宜に変更して以下のように実施することもできる。
【００６９】
（１）前記各実施形態では、３本のノズル２４の先端を、同一円周上に位置するように配置すると共に、コイル３の幅方向の中央に位置するように配置した。これに対し、４本以上のノズルを上記と同様に配置したり、コイルの幅方向において複数のノズルを１列に並べて配置したりしてもよい。例えば、Ｕ相、Ｖ相及びＷ相の各巻線３Ｕ〜３Ｗの上面に整合するように３本のノズル２４をコイル３の幅方向に並べて配置してもよい。また、各ノズルは分岐でなく、ノズル毎に１混合器を持たせて吐出量精度をより保証させてもよい。更に、ノズル先端形状は円ではなく、Ｕ，Ｖ，Ｗの幅を１つでカバーできる長方形でもよく、あるいは、中央部の量を抑制して幅方向で吐出量が同じになるような中央部で凹状をなす長方形であってもよい。
【００７０】
（２）前記第１実施形態では、図４のフローチャートに示すように、ステップ２で、第１供給工程を実施する前に、上側コイルエンド３ａの側面をシールする第１シール工程を実施し、ステップ４で、第２供給工程を実施する前に、下側コイルエンド３ｂの側面をシールする第２シール工程を実施するようにワニス処理方法を構成した。これに対し、第１供給工程の前に、上側コイルエンド３ａ及び下側コイルエンド３ｂの側面をそれぞれシールするシール工程を実施するようにワニス処理方法を構成してもよい。
【００７１】
（３）前記第３実施形態では、各コイルエンド３ａ，３ｂの外周側面に対して、筒状をなし、ゴム材質により形成されたシール部材４６を、自身の弾性力により各コイルエンド３ａ，３ｂの根本に嵌着するようにした。これに対し、シール部材を、更にリング部材により外部から締め付けられるように構成してもよい。この場合、シール部材がリング部材で締め付けられることから、コイルエンドの外周側面にシール部材が強固に装着される。この結果、シール部材によるシール性を向上させることができる。
【図面の簡単な説明】
【００７２】
【図１】ワニス処理方法が実施されるステータの概略形状を示す断面図。
【図２】コイルエンド部を簡素にしてイメージした模式的なステータを示す斜視図。
【図３】各相１ブロックにつきステータコアとコイルとの関係を模式的に示す正面図。
【図４】ワニス処理方法の手順を示すフローチャート。
【図５】図１の２点鎖線で囲んだ部分にシール装置を装着した状態を示す概略図。
【図６】ワニスの注入装置の概略構成を示す斜視図。
【図７】ワニスの粘度特性を示すグラフ。
【図８】ワニスの流動状態を示す概念図。
【図９】ステータの反転工程を示す説明図。
【図１０】ワニス供給パターンを示すグラフ。
【図１１】ワニスの供給状態を示す概略図。
【図１２】シール装置を装着した状態を示す図５に準ずる概略図。
【図１３】シール装置を装着した状態を示す図５に準ずる概略図。
【図１４】ワニスの供給状態を示す概略図。
【符号の説明】
【００７３】
２    ステータコア
２ａ    上端面
２ｂ    下端面
３    コイル
３ａ    上側コイルエンド
３ｂ    下側コイルエンド
１４    内周シール部材
１６    外周シール部材
２１    注入装置（ワニス供給手段）
３４    内周シール部材
４６    シール部材
４７    シール部材
Ｇ１    隙間
Ｇ２    隙間
ＷＡ    ワニス
ＦＣ    遠心力
【図１】
2008109733.tif 000003
【図２】
2008109733.tif 000004
【図３】
2008109733.tif 000005
【図４】
2008109733.tif 000006
【図５】
2008109733.tif 000007
【図６】
2008109733.tif 000008
【図７】
2008109733.tif 000009
【図８】
2008109733.tif 000010
【図９】
2008109733.tif 000011
【図１０】
2008109733.tif 000012
【図１１】
2008109733.tif 000013
【図１２】
2008109733.tif 000014
【図１３】
2008109733.tif 000015
【図１４】
2008109733.tif 000016